(57)【特許請求の範囲】
【請求項１】
薪入れ口を有するストーブ本体と、前記ストーブ本体の前記薪入れ口に設けられた開閉扉と、前記ストーブ本体内の燃焼排ガスを外部に排気するための排気手段と、を備えた薪ストーブにおいて、
前記ストーブ本体は、薪を燃焼させるための燃焼室を規定し、前記燃焼室の前端部に前記薪入れ口が配置され、前記燃焼室の後部に前記排気手段が配設され、また前記燃焼室の底部には吸気導入管が配設されており、
前記燃焼室は、円筒状に形成されて前後方向に延び、前記吸気導入管は前記燃焼室に内接して前後方向に延びており、
前記吸気導入管の一端側は、前記ストーブ本体の前壁を貫通して前方に突出し、その他端部は、前記ストーブ本体の後壁を貫通して後方に突出し、前記吸気導入管の上部に前記前後方向に間隔をおいて複数の空気孔が設けられており、
前記吸気導入管の前突出端部に前キャップ部材が着脱自在に装着され、その後突出端部に後キャップ部材が着脱自在に装着されており、
前記吸気導入管の前記一端側が開放され、その他端側が前記後キャップ部材により閉塞された状態においては、前記吸気導入管の前記一端側から導入された空気が前記複数の空気孔を通して前記燃焼室に供給され、また前記吸気導入管の前記一端側が前記前キャップ部材により閉塞され、その前記他端側が前記後キャップ部材により閉塞された状態においては、前記吸気導入管の前記一端側を通しての空気の導入が遮断され、更に、前記前キャップ部材及び前記後キャップ部材が外されて前記吸気導入管の前記一端側及び前記他端側が開放された状態では、前記吸気導入管の開放された一端側又は他端側から前記他端側又は前記一端側への燃焼灰の排出が許容されることを特徴とする薪ストーブ。
【請求項２】
前記複数の空気孔は、前記吸気導入管の前部の上端部に前記前後方向に間隔をおいて設けられ、前記吸気導入管の前端開口から導入された空気は、前記複数の空気孔を通して前記燃焼室に流れ、前記燃焼室内を前記排気手段向けて流れることを特徴とする請求項１に記載の薪ストーブ。
【請求項３】
前記排気手段に関連して補助空気導入口が設けられ、前記補助空気導入口は、前記燃焼室の後部に隣接して配設されていることを特徴とする請求項１又は２に記載の薪ストーブ。
【請求項４】
前記ストーブ本体は、家庭用ガスボンベから構成されていることを特徴とする請求項１〜３のいずれかに記載の薪ストーブ。
【発明の詳細な説明】
【技術分野】
【０００１】
本発明は、燃料として薪を用いる薪ストーブに関する。
【背景技術】
【０００２】
燃料として薪を用いる薪ストーブが広く実用に供されており、このような薪ストーブとして、薪入れ口を有するストーブ本体と、このストーブ本体の薪入れ口に設けられた開閉扉と、燃焼排ガスを外部に排気するための排気手段とを備えたものが提案されている（例えば、特許文献１参照）。この薪ストーブでは、開閉扉に空気吸入口が設けられ、かかる空気吸入口を通して燃焼用吸気が燃焼室に導入される。ストーブ本体の底部にはロストルが配設され、このロストル上に燃料としての薪が載置される。また、ストーブ本体の後端部には、排気手段としての排気用煙突が設けられている。
【０００３】
この薪ストーブにおいては、開閉扉を開いて薪入れ口を通して薪が燃焼室に投入され、投入後に開閉扉が閉じられる。燃焼用空気（即ち、外気）は、開閉扉の空気孔を通して導入され、かく導入される空気によりロストル上の薪が燃焼する。燃焼室内の燃焼排ガスは、後方に流れて排気用煙突を通して外部に排出される。
【先行技術文献】
【特許文献】
【０００４】
【特許文献１】実用新案登録第３１５２０１０号公報
【発明の概要】
【発明が解決しようとする課題】
【０００５】
しかしながら、上述した薪ストーブには、次の通りの解決すべき問題がある。第１に、燃焼用空気が開閉扉の空気孔を通して導入されるので、導入された空気はストーブ本体の中央部を通して後方に流れる傾向にあり、従って、導入された空気は、ロストル上に載った薪の下部に行きわたり難く、ロストル上の薪全体に充分な空気を供給することができない。
【０００６】
第２に、薪が燃焼した後にストーブ本体の底部に灰が残るが、残った灰を外部に排出するには、開閉扉を開放状態に保持し、このような状態にてロストルを移動してその下に残った灰を薪入れ口を通して取り除かなければならず、その作業が煩雑であるとともに、灰をきれいに取り除くことが困難である。
【０００７】
本発明の目的は、燃焼室内の積んだ状態の薪全体に燃焼用空気を供給することができる薪ストーブを提供することである。
【０００８】
また、本発明の他の目的は、ストーブ本体の底部に残った灰を外部に容易に排出することができる薪ストーブを提供することである。
【課題を解決するための手段】
【０００９】
本発明の請求項１に記載の薪ストーブは、薪入れ口を有するストーブ本体と、前記ストーブ本体の前記薪入れ口に設けられた開閉扉と、前記ストーブ本体内の燃焼排ガスを外部に排気するための排気手段と、を備えた薪ストーブにおいて、
前記ストーブ本体は、薪を燃焼させるための燃焼室を規定し、前記燃焼室の前端部に前記薪入れ口が配置され、前記燃焼室の後部に前記排気手段が配設され、また前記燃焼室の底部には吸気導入管が配設されており、
前記燃焼室は、円筒状に形成されて前後方向に延び、前記吸気導入管は前記燃焼室に内接して前後方向に延びており、
前記吸気導入管の一端側は、前記ストーブ本体の前壁を貫通して前方に突出し、その他端部は、前記ストーブ本体の後壁を貫通して後方に突出し、前記吸気導入管の上部に前記前後方向に間隔をおいて複数の空気孔が設けられており、
前記吸気導入管の前突出端部に前キャップ部材が着脱自在に装着され、その後突出端部に後キャップ部材が着脱自在に装着されており、
前記吸気導入管の前記一端側が開放され、その他端側が前記後キャップ部材により閉塞された状態においては、前記吸気導入管の前記一端側から導入された空気が前記複数の空気孔を通して前記燃焼室に供給され、また前記吸気導入管の前記一端側が前記前キャップ部材により閉塞され、その前記他端側が前記後キャップ部材により閉塞された状態においては、前記吸気導入管の前記一端側を通しての空気の導入が遮断され、更に、前記前キャップ部材及び前記後キャップ部材が外されて前記吸気導入管の前記一端側及び前記他端側が開放された状態では、前記吸気導入管の開放された一端側又は他端側から前記他端側又は前記一端側への燃焼灰の排出が許容されることを特徴とする。
【００１０】
また、本発明の請求項２に記載の薪ストーブでは、前記複数の空気孔は、前記吸気導入管の前部の上端部に前記前後方向に間隔を置いて設けられ、前記吸気導入管の前端開口から導入された空気は、前記複数の空気孔を通して前記燃焼室に流れ、前記燃焼室内を前記排気手段向けて流れることを特徴とする。
【００１２】
また、本発明の請求項３に記載の薪ストーブでは、前記排気手段に関連して補助空気導入口が設けられ、前記補助空気導入口は、前記燃焼室の後部に隣接して配設されていることを特徴とする。
【００１３】
更に、本発明の請求項４に記載の薪ストーブでは、前記ストーブ本体は、家庭用ガスボンベから構成されていることを特徴とする。
【発明の効果】
【００１４】
本発明の請求項１に記載の薪ストーブによれば、ストーブ本体により規定される燃焼室の前端部に薪入れ口が配置され、この燃焼室の後部に排気手段が配設され、また燃焼室の底部に吸気導入管が配設されているので、薪入れ口から入れた薪は、吸気導入管の上側に積み上げられ、このような状態では、積み上がった薪の底部にも燃焼用空気のための空間が確保される。従って、吸気導入管を通して導入される空気は、積み上がった薪の底部からこの空間を通して流れ、かくして、積み上がった薪の底部にも充分な燃焼用空気を供給して薪を燃焼させることができる。
また、燃焼室は円筒状に形成されて前後方向に延び、吸気導入管は燃焼室に内接して前後方向に延び、この吸気導入管の上部に前後方向に間隔をおいて複数の空気孔が設けられているので、外部から導入された燃焼用空気は、これら空気孔を通して積み上げられた薪の底部に供給されて流れ、従って積み上げられた薪全体に空気を効果的に供給することができる。
更に、吸気導入管の一端側（前端部）はストーブ本体の前壁を貫通して前方に突出し、この一端側に前キャップ部材が着脱自在に装着され、またその他端側はストーブ本体の後壁を貫通して後方に突出し、この他端部（後端部）に後キャップ部材が着脱自在に装着される。吸気導入管の一端側が開放され、その他端側が後キャップ部材により閉塞された状態においては、吸気導入管の一端側からの吸気の導入が許容され、導入された空気が複数の空気孔を通して燃焼室に供給され、また吸気導入管の一端側が前キャップ部材により閉塞され、その他端側が後キャップ部材により閉塞された状態においては、吸気導入管の一端側を通しての空気の導入が遮断され、更に、前キャップ部材及び後キャップ部材が外されて吸気導入管の一端側及び他端側が開放された状態では、吸気導入管の開放された一端側又は他端側から他端側又は一端側への燃焼灰の排出が許容され、例えば、排出用ブラシを挿入して移動させることによって、吸気導入管内の灰を外部に容易に排出することができる。
【００１５】
また、本発明の請求項２に記載の薪ストーブによれば、複数の空気孔は吸気導入管の前部の上端部に設けられているので、これら複数の空気孔から燃焼室に流れた燃焼用空気は、燃焼室の前部側から後方に排気手段に流れ、投入した薪の燃焼用空気として効率的に用いられる。
【００１７】
また、本発明の請求項３に記載の薪ストーブによれば、排気手段に関連して補助空気導入口が設けられ、この補助空気導入口が燃焼室の後部に隣接して配設されているので、吸気導入管を通しての燃焼用空気の供給を停止し且つ補助空気導入口を通して燃焼用空気を供給する状態においては、この補助空気導入口を通して導入された空気の一部が燃焼室に供給されるようになり、従って、燃焼室への空気の供給を極僅かにして燃焼を抑え、積み上がった薪の燃焼状態を小炎の状態に保つことができる。
【００１８】
更に、本発明の請求項４に記載の薪ストーブによれば、ストーブ本体が家庭用ガスボンベから構成されているので、このガスボンベを利用して簡単に製作することができる。特に、使用済みのものを用いることによって、通常は廃棄するものを薪ストーブとして再利用することができる。
【図面の簡単な説明】
【００１９】
【図１】本発明に従う薪ストーブの一実施形態を示す側面図。
【図２】図１の薪ストーブの断面図。
【図３】図２におけるＩＩＩ−ＩＩＩ線による断面図。
【図４】図１の薪ストーブを開閉扉を閉じた状態で示す正面図。
【図５】図１の薪ストーブを開閉扉を開放した状態で示す正面図。
【発明を実施するための形態】
【００２０】
以下、添付図面を参照して、本発明に従う薪ストーブの一実施形態について説明する。図１〜図３において、図示の薪ストーブは、中空円筒状のストーブ本体２を備え、このストーブ本体２は、薪を燃焼させるための燃焼室４を規定する。このストーブ本体２は、家庭用ガスボンベ（例えば、ＬＰガス５０ｋｇ容量１１７．５Ｌのもの）を用いることができ、使用済みガスボンベを用いることによって、ガスボンベの再利用を行うことができ、環境に優しい薪ストーブを提供することができる。例えばＬＰガス５０ｋｇ用ボンベは、圧力容器で耐圧３ＭＰと６２０℃で熱処理された非常に丈夫な容器であり、このような丈夫な容器を有効に再利用することができる。
【００２１】
この燃焼室４の一端部（この形態では、前端部）に薪入れ口６が設けられている。この形態では、ストーブ本体４の一端部が斜め下方に切断され、かかる切断開口に前プレート８が溶接などにより固着され、この前プレート８に略台形状の薪入れ開口６が設けられている（図５参照）。この薪入れ口６は、略円形状、略矩形状などの適宜の形状でよい。
【００２２】
また、燃焼室４の後部、この形態では後端に排気手段１０が配設されている。排気手段１０は、排気ハウジング１２と、この排気ハウジング１２の上壁１４に接続された排気用煙突１６を備えている。この形態では、ストーブ本体４の後端部には後プレート１８が溶接などにより固着され、この後プレート１８に設けられた排気開口２０を通して燃焼室４と排気ハウジング１２内とが連通されている。このように構成されているので、燃焼室４内の燃焼排ガスは、排気開口２０及び排気ハウジング１２を通して排気用煙突１６から外部に排出される。
【００２３】
ストーブ本体４の前プレート８の前面側には、薪入れ開口６を開閉するための開閉扉２２が開閉自在に配設されている。図４及び図５をも参照して、図示の開閉扉２２は、一対の扉部材、即ち左右の扉部材２４，２６から構成され、右扉部材２４が一対の右蝶番２８を介して前プレート８の右端部に開閉自在に装着され、また左扉部材２６が一対の左蝶番３０を介して前プレート８の左端部に開閉自在に装着されている。
【００２４】
右扉部材２４の下部には右主把持部材３２が設けられ、また左扉部材２６の下部には左主把持部材３４が設けられている。また、右扉部材２４に関連して、ストーブ本体４の前右側部に、前方に延びる右当接部材３６が設けられ、左扉部材２６に関連して、その前左側部に、前方に延びる左当接部材（図示せず）が設けられている。
【００２５】
このように構成されているので、左右主把持部材３２，３４を把持して左右扉部材２４，２６を内側に閉方向に回動させて閉状態（図１、図２及び図４に示す状態）にすると、前プレート８の前面側が左右扉部材２４，２６により覆われて薪入れ口６が閉状態となり、左右扉部材２４，２６の自重によりかかる閉状態に保持される。また、左右主把持部材３２，３４を把持して左右扉部材２４，２６を外側に回動させて開状態（図５に示す状態）にすると、前プレート８の前面側が開放されて薪入れ口６が開状態となり、開放された薪入れ口６を通して燃焼室４内に薪を入れることができる。この開状態においては、左右扉部材２４，２６の外面が左右当接部材３６に当接し、それらの自重によってそれらの当接状態が保持される。
【００２６】
左右扉部材２４，２６には、燃焼用空気を導入量を調整するための左右の空気調整板４０，４２が設けられている。左右扉部材２４，２６の略中央部には、円周状に沿って複数の空気導入孔４４，４６が設けられ（図５参照）、右扉部材２４の複数の空気導入孔４４に関連して、右空気調整板４０が右扉部材２４の前面側に設けられ、また左扉部材２６の複数の空気導入孔４６に関連して、左空気調整板４２が左扉部材２６の前面側に設けられている。左右扉部材２４，２６には支持ピン４８，５０が固定され、かかる支持ピン４８，５０に左右空気調整板４０，４２が回動自在に装着されている。左右空気調整板４０，４２には、周方向に間隔をおいて複数の調整孔５２，５４が設けられているとともに、それらの下部に左右の副把持部材５６，５８が設けられている。このように構成されているので、左右副把持部材５６，５８を把持して左右空気調整板４０，４２を回動させると、左右扉部材２４，２６の空気導入孔４４，４６と空気調整板４０，４２の調整孔５２，５４の重なり割合が変化し、これらの重なり割合を大きく（又は小さく）することによって、空気導入孔４４，４６を通して導入される空気の導入量を多く（又は少なく）することができる。
【００２７】
図１〜図３に戻って、このストーブ本体２の底部、即ち燃焼室４の底部に吸気導入管６０が設けられている。この吸気導入管６０は、中空円筒状の細長い管部材から構成され、図３に示すように、中空円筒状のストーブ本体２の内周面にその底部にて内接するように設けるのが好ましく、このように配設することによって、前後方向（図１及び図２において左右方向、図３において紙面に垂直な方向）に延びる燃焼室４の底部に吸気導入管６０が前後方向に設けられる。この吸気導入管６０は、中空筒状の適宜の管部材でよく、例えば、中空矩形状、中空楕円形状などの管部材を用いるようにしてもよい。
【００２８】
この実施形態では、吸気導入管６０の一端側（前端側）は、ストーブ本体２の前壁６２の底部を貫通して前後方向前方に突出し、この前突出端部に前キャップ部材６４が着脱自在に装着される。また、吸気導入管６０の他端側（後端側）は、ストーブ本体２の後プレート１８（ストーブ本体２の後壁１８を構成する）を貫通して前後方向後方に突出し、この後突出端部に後キャップ部材６６が着脱自在に装着される。前キャップ部材６４及び後キャップ部材６６は、例えば、吸気導入管６０の端部に単に被嵌するようにしてもよく、或いはその端部に螺着するようにしてもよい。
【００２９】
吸気導入管６０の前部（具体的には、その前部における燃焼室４内に位置する部位）に、前後方向（換言すると、その軸方向）に間隔をおいて複数の空気孔６８が設けられている。これら空気孔６８は、図２に示すように、吸気導入管６０の上端部に設けられ、それらの形状は円形状に形成されているが、楕円状などの適宜の形状でよい。これらの空気孔６８は、吸気導入管６０の上端部に加えて両側部に軸方向に間隔をおいて設けるようにしてもよい。
【００３０】
通常の燃焼使用時には、前キャップ部材６４は吸気導入管６０から取り外されるが、後キャップ部材６６は吸気導入管６０に装着される。このような状態では、外気が吸気導入管６０の前端開口から吸入され、かく吸入された空気が複数の空気孔６８から燃焼室４に送給される。また、薪の燃焼を抑えるときには、前キャップ部材６４も吸気導入管６０に装着される。このような状態では、吸気導入管６０の両端開口が前キャップ部材６４及び後キャップ部材６６によって閉塞され、吸気導入管６０を通して外気が燃焼室４に導入されることはない。尚、この場合、燃焼用空気は、左右扉部材２４，２６の空気導入孔４４，４６及び／又は補助空気導入口（後述する）を通して燃焼室４に導入される。また、吸気導入管６０内に落下した灰を排出するときには、前キャップ部材６４及び後キャップ部材６６が吸気導入管６０から外され、吸気導入管６０の両端開口が開放状態に保たれる。
【００３１】
尚、この実施形態では、吸気導入管６０内の灰の排出を容易にするために、吸気導入管６０の後端部をストーブ本体２の後方に突出させているが、灰の排出を考慮する必要がないときには、この後端部をスチーブ本体２から後方に突出する必要はなく、他端部が閉塞された吸気導入管を燃焼室４の底部に配設し、その前端部のみをストーブ本体２の前壁６２を貫通して前方に突出するようにすればよい。
【００３２】
この実施形態では、更に、排気手段１０に関連して補助空気導入口７０が設けられている。補助空気導入口７０は、排気ハウジング１２の右側壁７２（図１参照）及び左側壁７４（図２参照）の燃焼室４側の下部に設けられ（図２において、左側壁７４に設けられたもののみを示す）、かかる補助空気導入口７０から外方に補助空気導入管７６が延び（図１において、右側壁７２側に設けられたもののみを示す）、この補助空気導入管７６の先端部に補助キャップ７８が着脱自在に装着される。この補助空気導入管７６は、排気ハウジング１２の片側にのみ設けるようにしてもよい。
【００３３】
かく構成されているので、補助キャップ７８を外した状態では、補助空気導入口７０が開放され、補助空気導入口７０を通して外気が導入され、導入された空気の一部は燃焼室４に供給されるが、その残部は排気ハウジング１２及び排気用煙突１６を通して外部に排出される。また、補助キャップ７８を装着した状態においては、補助空気導入口７０が閉塞され、外気がこの補助空気導入口７０を通して導入されることはない。尚、左右扉部材２４，２６の空気導入孔４４，４６を通して僅かの空気を供給することができるときには、この補助空気導入口７０を省略することもできる。
【００３４】
このストーブ本体２の上面には、加熱プレート８０が設けられる。この加熱プレート８０は鉄板などの金属プレートから構成され、ストーブ本体２の上面に溶接などによって固着される。加熱プレート８は、ストーブ本体２からの熱によって加熱され、調理鍋などを載置することによって加熱調理に利用することができ、またやかんなどを載置することによってお湯を沸かすことに利用することができ、更に加熱プレート８０を用いて焼き物料理などに利用することができ、種々の利用が可能となる。
【００３５】
このストーブ本体２は、前脚体８２及び後脚体８４を介して床面８６（又は地面）などに設置される。前脚体８２及び後脚体８４は実質上同一の構成であり、以下、前脚体８２（後脚体８４）について説明すると、前脚体８２（後脚体８４）は、床面８６などに接地される接地プレート８８を備え、この接地プレート８８に複数本（具体例では、４本）の支柱９０を介して支持プレート９２が支持され、この支持プレート９２にストーブ本体２が溶接によって固定されている。ストーブ本体２の前部が前脚体８２の支持プレート９２に固定され、その後部が後脚体８４の支持プレート９２に固定されている。また、このストーブ本体２の固定を補強するために、略Ｌ字状の補強部材９４がストーブ本体４及び支持プレート９２間に設けられている。
【００３６】
この薪ストーブは、例えば、次のように使用される。薪９６を燃焼させるには、前キャップ部材６４を取り外し、また開閉扉２２（左右扉部材２４，２６）を外側に回動して薪入れ口６を開放し、開放された薪入れ口６を通して燃焼すべき薪９６を燃焼室４に入れて燃焼させればよい（尚、薪９６の燃焼後、開閉扉２２を閉状態にする）。薪入れ口６を通して薪９６を燃焼室４に入れると、入れた薪９６は、図３に示すように、吸気導入管６０の上側に積み上げられる。この形態においては、ストーブ本体２の内周面に内接するように吸気導入管６０が配設されているので、入れた薪９６とストーブ本体２及び吸気導入管６との間に間隙が生じ、かかる間隙が燃焼用空気が流れる空間となり、かくして、積み上げられた薪９６の底部においても燃焼用空気の空間を確保することができる。
【００３７】
燃焼中においては、吸気導入管６０を通して吸入された空気（外気）が、燃焼用空気として空気孔６８から燃焼室４に供給される。かく供給された空気は、積み上げられた薪９６とストーブ本体２及び吸気導入管６０との間の間隙を通して流れ、積み上げられた薪９６に充分な空気を供給することができる。この薪ストーブにおいては、空気孔６８が吸気導入管６０の前部のみに設けられているので、外気（空気）が燃焼室４に過剰に供給されることがない。また、薪９６の燃焼により生じた燃焼排ガスは、燃焼室４の後方に排気用煙突１６に向けて流れ、排気開口２０及び排気ハウジング１２を通して流れて排気用煙突１６から外部に排出される。
【００３８】
薪９６の燃焼を抑えるには、前キャップ部材６４を吸気導入管６０の前端部に装着するとともに、左右扉部材２４，２６の空気導入孔４４，４６を通して燃焼用空気を供給するようにすればよい。前キャップ部材６４を装着すると、吸入導入管６０の吸入口が閉塞され、吸入導入管６０を通しての外気（空気）の供給が停止する。また、左右副把持部材５６，５８を把持して左右空気調整板４０，４２を回動し、それらの調整孔５２，５４と左右扉部材２４，２６の空気導入孔４４，４６との重なり割合を調整すると、開口調整された空気導入孔４４，４６を通して外気（空気）が燃焼室４に供給される。このとき、空気導入孔４４，４６を通して供給される空気の供給量は、吸気導入管６０を通して供給される空気の供給量よりも少なく、このように空気の供給量を少なくすることによって、薪９６の燃焼を抑えて燃焼熱の発生を少なくすることができる。
【００３９】
薪９６の燃焼を更に抑えるには、左右扉部材２４，２６の空気導入孔４４，４６を通しての燃焼用空気の供給を停止するとともに、補助空気導入口７０を通して燃焼用空気を供給するようにすればよい。左右副把持部材５６，５８を把持して左右空気調整板４０，４２を回動してこの左右空気調整板４０，４２によって左右扉部材２４，２６の空気導入孔４４，４６を閉塞すると、左右扉部材２４，２６の空気導入孔４４，４６を通しての空気の導入が停止する。また、補助キャップ７８を取り外すと、補助空気導入口７０が開放され、補助空気導入管７６及び補助空気導入口７０を通して排気ハウジング１２内の外気（空気）が供給され、かく供給された空気の一部が、燃焼室４に供給されて薪９６の燃焼に用いられ、空気の残部が、燃焼排ガスとともに排気用煙突１６に流れて外部に排出される。このとき、補助空気導入口７０を通して燃焼室４に供給される空気の供給量は、小さな火炎の燃焼状態を維持する程度の極僅かとなり、夜間の睡眠時などにこのような空気供給状態に保たれる。
【００４０】
尚、燃焼室４の溜まった灰を除去するには、燃焼終了後に、吸気導入管６０から前キャップ部材６４及び後キャップ部材６６を取り外し、この状態にて、灰除去ブラシ（図示せず）を吸気導入管６０の前端開口（又は後端開口）から挿入して後方（又は前方）に移動させて内部の灰を押し出すようにすればよく、このようにして灰を簡単に排出することができる。尚、燃焼室４の灰については、空気孔６８を通して吸気導入管６０内に落とした後に上述したように押し出すようにすればよい。
【００４１】
以上、本発明に従う薪ストーブの一実施形態について説明したが、本発明はかかる実施形態に限定されるものではなく、本発明の範囲を逸脱することなく種々の変形乃至修正が可能である。
【００４２】
例えば、上述した実施形態では、燃焼用空気を多量に供給するときには吸気導入管６０を通して供給し、燃焼用空気を少量に供給するときには左右扉部材２４，２６の空気導入孔４４，４６を通して供給しているが、このような構成に代えて、吸気導入管６０の前端部に開度調整機能付きの前キャップ部材（図示せず）を着脱自在に取り付け、かかる前キャップ部材の開度を調整して吸気導入管６０を通して供給される空気の流量を調整するようにしてもよく、この場合、左右扉部材２４，２６の空気導入孔」４４，４６を省略することができる。
【符号の説明】
【００４３】
２  ストーブ本体
４  燃焼室
６  薪入れ口
１０  排気手段
２２  開閉扉
２４，２６  扉部材
４０，４２  空気調整板
４４，４６  空気導入孔
６０  空気導入管
６４，６６  キャップ部材
６８  空気孔
７０  補助空気導入口
７６  補助空気導入管
８０  加熱プレート
【図１】
0005330482.tif 000002
【図２】
0005330482.tif 000003
【図３】
0005330482.tif 000004
【図４】
0005330482.tif 000005
【図５】
0005330482.tif 000006